(57)【要約】【課題】  浴槽に水を溜める際には、配管内へ水を容易に浸入させることができ、浴槽水の追い焚き時には、加熱後の湯が給湯機側へ吸入されるのを抑制することができる浴槽用循環具を提供する。【解決手段】  浴槽水の循環流路中に位置するように循環具本体１８に、ほぼ鉛直方向へ開閉動作されるボール５０を備えたボール式の吐出側逆止弁４７を設ける。吐出側逆止弁４７のボール５０を水よりも比重の大きい材料により形成する。【選択図】      図１３
2006226607.tif 000002
【特許請求の範囲】
【請求項１】
浴槽の側壁に固定され、浴槽の外部に設けられた循環式給湯機に対して、循環用の給湯管及び戻し管を介して接続される浴槽用循環具において、
前記浴槽と循環式給湯機との間の浴槽水の循環流路中に位置するように循環具本体には、ほぼ上下方向に開閉動作される逆止弁を設け、その逆止弁の弁体を水よりも比重の大きい材料により形成したことを特徴とする浴槽用循環具。
【請求項２】
前記逆止弁は、浴槽内に浴槽水が溜まっていない状態で循環流路を開放する状態になることを特徴とする請求項１に記載の浴槽用循環具。
【請求項３】
浴槽外部の循環式給湯器との間に設けられた浴槽水の往路または復路に接続される第１接続部及び第２接続部と、同第１または第２接続部を介して循環式給湯器が浴槽内の浴槽水を吸い込むための第１吸込口及び第２吸込口と、前記第１接続部または第２接続部を介して循環式給湯器が浴槽内に浴槽水を吐出するための第１吐出口及び第２吐出口と、前記第１接続部と第１吐出口とを連通する流路上に設けられ、同第１接続部側から第１吐出口側へ向かう浴槽水の流れを許容するとともに、その逆方向の流れを規制する第１逆止弁と、前記第２接続部と第２吐出口とを連通する流路上に設けられ、同第２接続部側から第２吐出口側へ向かう浴槽水の流れを許容するとともに、その逆方向の流れを規制する第２逆止弁とを備え、
前記第１吸込口から前記第１接続部へ向かう浴槽水の流れを許容するとともに、その逆方向の流れを規制し、また、前記第２吸込口から前記第２接続部へ向かう浴槽水の流れを許容するとともに、その逆方向の流れを規制するように構成した浴槽用循環具において、
前記第１及び第２逆止弁をボール式逆止弁とし、そのボール式逆止弁を水よりも大きい比重の材質で形成したことを特徴とする浴槽用循環具。
【請求項４】
前記逆止弁は、浴槽内に浴槽水が溜まっていない状態で第１吐出口と第２吐出口とを開放する状態になることを特徴とする請求項１に記載の浴槽用循環具。
【請求項５】
前記ボール式逆止弁のボールは、フリーであることを特徴とする請求項３または４に記載の浴槽用循環具。
【発明の詳細な説明】
【技術分野】
【０００１】
この発明は、浴槽の側壁に固定され、浴槽の外部に設けられた循環式給湯機に対して、循環用の給湯管及び戻し管を介して接続される浴槽用循環具に係り、特に浴槽水の循環流路中に吐出側逆止弁を設けた浴槽用循環具に関するものである。
【背景技術】
【０００２】
従来、この種の浴槽用循環具としては、例えば特許文献１及び特許文献２に開示されるような構成のものが知られている。すなわち、特許文献１に記載の浴槽用循環具では、浴槽水の循環流路中にボール式の吐出側逆止弁が設けられ、その吐出側逆止弁のボールが水よりも軽い浮球から構成されている。また、特許文献２に記載の浴槽用循環具では、浴槽水の循環流路中に開閉板式の吐出側逆止弁が設けられ、その吐出側逆止弁の開閉板には多数の微細な孔やスリットが形成されている。
【特許文献１】特開平１０−３２５６１４号公報（第６頁〜第７頁、第１９図〜第２４図）
【特許文献２】特開２００１−１９４０１０号公報（第８頁、第１３図〜第１４図）
【発明の開示】
【発明が解決しようとする課題】
【０００３】
ところで、浴槽内に貯留された浴槽水の追い焚きを行う場合には、循環式給湯機内に装備されたポンプにより、浴槽水が浴槽から戻し管を介して給湯機に搬送されるとともに、加熱後の浴槽水が給湯機から給湯管を介して浴槽に搬送される。この場合、浴槽水の追い焚き開始時には、配管内に空気が滞留しているため、浴槽内の浴槽水が給湯機に到達するまでの間に、この配管内の空気がポンプに吸い込まれて、ポンプに余分な負荷が掛かるおそれがあった。このような不具合を抑制するため、浴槽内に水を溜める際には、配管内に少しでも多くの水が自然に流入するように構成することが好ましい。しかしながら、前記特許文献１に記載の浴槽用循環具では、吐出側逆止弁の浮球が水よりも軽い材料で形成されているため、浴槽内に水が溜まってくると、浮球が浮上して逆止弁が閉鎖状態になり、配管内への水の流入が阻止されるおそれがあった。
【０００４】
一方、前記特許文献２に記載の浴槽用循環具では、吐出側逆止弁の開閉板に多数の微細な孔やスリットが形成されているため、浴槽内の浴槽水を排出する際に、浴槽用循環具内の滞留水を開閉板の孔やスリットから排出することができる。このため、浴槽用循環具内に水が滞留して、バクテリアの発生等を招くおそれを防止することができる。ところが、浴槽水の追い焚き時に、給湯機から浴槽内に流入した加熱後の湯が開閉板の孔やスリットから給湯機側に吸入されるため、追い焚き時の温度検出を正確に行うことができず、温度制御に支障を来たすおそれがあった。
【０００５】
この発明は、このような従来技術に存在する問題点に着目してなされたものである。その目的とするところは、浴槽に水を溜める際には、配管内へ水を容易に浸入させることができ、浴槽水の追い焚き時には、加熱後の湯が給湯機側へ吸入されるのを抑制することができる浴槽用循環具を提供することにある。
【課題を解決するための手段】
【０００６】
上記の目的を達成するために、請求項１に記載の発明は、浴槽の側壁に固定され、浴槽の外部に設けられた循環式給湯機に対して、循環用の給湯管及び戻し管を介して接続される浴槽用循環具において、前記浴槽と循環式給湯機との間の浴槽水の循環流路中に位置するように循環具本体には、ほぼ鉛直方向に開閉動作されるボールを備えたボール式の吐出側逆止弁を設け、その吐出側逆止弁のボールを水よりも比重の大きい材料により形成したことを特徴とするものである。
【０００７】
請求項２に記載の発明は、請求項１に記載の発明において、前記吐出側逆止弁は、浴槽内に浴槽水が溜まっていない状態で循環流路を開放する状態になることを特徴とするものである。
【０００８】
請求項３に記載の発明は、浴槽外部の循環式給湯器との間に設けられた浴槽水の往路または復路に接続される第１接続部及び第２接続部と、同第１または第２接続部を介して循環式給湯器が浴槽内の浴槽水を吸い込むための第１吸込口及び第２吸込口と、前記第１接続部または第２接続部を介して循環式給湯器が浴槽内に浴槽水を吐出するための第１吐出口及び第２吐出口と、前記第１接続部と第１吐出口とを連通する流路上に設けられ、同第１接続部側から第１吐出口側へ向かう浴槽水の流れを許容するとともに、その逆方向の流れを規制する第１逆止弁と、前記第２接続部と第２吐出口とを連通する流路上に設けられ、同第２接続部側から第２吐出口側へ向かう浴槽水の流れを許容するとともに、その逆方向の流れを規制する第２逆止弁とを備え、前記第１吸入口から前記第１接続部へ向かう浴槽水の流れを許容するとともに、その逆方向の流れを規制し、また、前記第２吸入口から前記第２接続部へ向かう浴槽水の流れを許容するとともに、その逆方向の流れを規制するように構成した浴槽用循環具において、前記第１及び第２逆止弁をボール式逆止弁とし、そのボール式逆止弁を水よりも大きい比重の材質で形成したことを特徴とするものである。
【０００９】
請求項４に記載の発明は、請求項１に記載の発明において、前記逆止弁は、浴槽内に浴槽水が溜まっていない状態で第１吐出口と第２吐出口とを開放する状態になることを特徴とするものである。
【００１０】
請求項５に記載の発明は、請求項３または４に記載の発明において、前記ボール式逆止弁のボールは、フリーであることを特徴とするものである。
（作用）
請求項１に記載においては、吐出側逆止弁の弁体が水よりも比重の大きい材料により形成されているため、浴槽に水を溜める際に、弁体が浮上して逆止弁が閉鎖されることはなく、配管内へ水を容易に浸入させることができる。よって、浴槽水の追い焚き開始時に、配管内に滞留している空気が循環式給湯機のポンプに吸い込まれて、ポンプに負荷が掛かるおそれを防止することができる。また、浴槽水の追い焚き時には、吐出側逆止弁が閉鎖状態になって、給湯機から浴槽内に流入した加熱後の湯が給湯機側へ吸入されるのを抑制することができる。従って、追い焚き時の温度検出を正確に行うことができて、温度制御を正確に行うことができる。
【００１１】
請求項２に記載においては、浴槽内の浴槽水を排出する際に、吐出側逆止弁が開放状態になって、浴槽用循環具内の滞留水を確実に排出することができる。よって、浴槽用循環具内に水が滞留して、バクテリアの発生等を招くおそれを防止することができる。
【００１２】
請求項３に記載の発明においては、請求項１の作用に加えて、浴槽水を浴槽用循環具内において正逆いずれの方向にも流すことができて、方向性がなくなって、組み付けが容易になるとともに、逆止弁がボール式逆止弁であるため、開閉動作が円滑になる。
【００１３】
請求項４に記載の発明においては、請求項２と同様な作用を得ることができる。
請求項５に記載の発明においては、ボールがフリーであるため、いっそう円滑な開閉動作を得ることができる。
【発明の効果】
【００１４】
以上のように、この発明によれば、浴槽に水を溜める際には、配管内へ水を容易に浸入させることができる。また、浴槽水の追い焚き時には、加熱後の湯が給湯機側へ吸入されるのを抑制することができる。
【発明を実施するための最良の形態】
【００１５】
次に、この発明を具体化した一実施形態を図面に従って説明する。
図２及び図３に示すように、この実施形態の浴槽用循環具１０は、浴槽１１の長手方向において互いに対面する両側壁１２のうちで、一方の側壁１２の中央位置に設けられた貫通孔１２ａに固定される。この浴槽用循環具１０は、浴槽１１の外部に設けられた強制循環式給湯機１３（以下、給湯機という）に対して、浴槽１１に加熱水を供給するための往路としての給湯管１４、及び浴槽１１から浴槽水を吸い込むための復路としての戻し管１５を介して接続される。
【００１６】
図１に示すように、前記浴槽用循環具１０は、浴槽１１の側壁１２の貫通孔１２ａに対して浴槽１１の内側から挿入されるスリーブ１６と、同側壁１２の外側に配置される後面ケース１７と、スリーブ１６に挿入固定される循環具本体１８と、その循環具本体１８に取り付けられるフィルタ１９とを備えている。
【００１７】
図１及び図４に示すように、前記後面ケース１７は金属からなり、その後端部（図１及び図４の右端部）には、前記給湯管１４及び戻し管１５を接続するための第１接続部２０及び第２接続部２１が設けられている。第１接続部２０は、後面ケース１７の中心部に設けられた内室２２に連通され、第２接続部２１は、後面ケース１７の外周部に設けられた外室２３に連通されている。内室２２の開口部内周に設けられた周溝には、Ｏリング２４が装着されている。後面ケース１７の開口部内周面には、雌ねじ部２５が設けられている。後面ケース１７の開口端部にはフランジ部２６が設けられ、そのフランジ部２６には側壁１２の外面との水密を確保するためのシール部材２７が被せられている。
【００１８】
なお、この実施形態の浴槽用循環具１０は、いわゆる無極性型であって、給湯管１４を第１接続部２０側に接続するとともに、戻し管１５を第２接続部２１側に接続した場合、あるいは、給湯管１４を第２接続部２１側に接続するとともに、戻し管１５を第１接続部２０側に接続した場合のいずれにおいても、使用可能な構造となっている。
【００１９】
図１及び図４に示すように、前記スリーブ１６はポリアセタール等の合成樹脂により略円筒状に形成され、その一端にはフランジ２８が突設されている。スリーブ１６の外周面には雄ねじ部２９が設けられ、この雄ねじ部２９は、側壁１２の貫通孔１２ａを通じて前記後面ケース１７の雌ねじ部２５に螺合されている。これにより、後面ケース１７及びスリーブ１６は、側壁１２を挟んで互いに連結されて、貫通孔１２ａに支持されている。スリーブ１６の内周面には、その軸線方向に延びるように複数の位置決め用突起３０が設けられている。フランジ２８の外周面には、係合用周溝３１（図１に図示）が凹設されている。フランジ２８と側壁１２内面との間には、それらの間の水密を確保するためのパッキン３２が挟着されている。
【００２０】
図１及び図４〜図６に示すように、前記循環具本体１８はポリアセタール等の合成樹脂により略円柱状に形成されている。循環具本体１８の内端部の内周面には抜け防止爪３３が突設され、前記スリーブ１６の係合用周溝３１に係合されるようになっている。循環具本体１８の中心部には、後面ケース１７の内室２２に連通される第１通水路３４が設けられ、その周囲には後面ケース１７の外室２３に連通される第２通水路３５（図５に図示）が設けられている。第１通水路３４と第２通水路３５との間には、両通路３４，３５を区画する仕切り壁３６が設けられている。また、循環具本体１８の後部には位置決め用の係合部３７（図６に図示）が設けられ、スリーブ１６の位置決め用突起３０に係合して循環具本体１８の周方向への回転を規制している。
【００２１】
図５及び図６に示すように、前記循環具本体１８の前面側下部には、第１通水路３４及び第２通水路３５に連通する吐出通路形成部３８が設けられている。第１通水路３４及び第２通水路３５と吐出通路形成部３８との間において循環具本体１８には、後述する吐出側第１逆止弁４７及び吐出側第２逆止弁４８を構成するための弁座３９及び弁体収容部４０が一体形成されている。図７及び図８（ａ），（ｂ）に示すように、弁座３９は、吐出通路形成部３８側に円形の弁口３９ａを有している。弁体収容部４０は、吐出通路形成部３８側に向かって開口されている。
【００２２】
図５、図１１及び図１２に示すように、前記循環具本体１８の前面側には、フィルタ１９を介して浴槽１１内の浴槽水を吸い込むための一対の吸込部４１，４２が凹設されている。一方の吸込部４１は、吸込側第１逆止弁４３を介して前記第１通水路３４に連通されている。この吸込側第１逆止弁４３は、循環具本体１８の前面に支持される基部４４と、その下面から後方へ延びる弁板４５とにより構成され、吸込部４１から第１通水路３４へ向かう浴槽水の流れを許容するとともに、その逆方向の流れを規制するようになっている。他方の吸込部４２は、吸込側第２逆止弁４６を介して前記第２通水路３５に連通されている。この吸込側第２逆止弁４６は、前記吸込側第１逆止弁４３と同様に構成され、吸込部４２から第２通水路３５へ向かう浴槽水の流れを許容するとともに、その逆方向の流れを規制するようになっている。なお、両逆止弁４３，４６は、エチレン−プロピレン−ジエン共重合ゴム（Ethylene Propylene Diene Monomer；ＥＰＤＭ ）等の合成ゴムにより一体成形されている。
【００２３】
図１２に示すように、前記第１通水路３４と吐出通路形成部３８との間には、吐出側第１逆止弁４７が設けられ、第１通水路３４から吐出通路形成部３８へ向かう浴槽水の流れを許容するとともに、その逆方向の流れを規制するようになっている。また、前記第２通水路３５と吐出通路形成部３８との間には吐出側第２逆止弁４８が設けられ、第２通水路３５から吐出通路形成部３８へ向かう浴槽水の流れを許容するとともに、その逆方向の流れを規制するようになっている。図１３（ａ），（ｂ）に示すように、吐出側第１逆止弁４７は、前記弁座３９及び弁体収容部４０と、弁体収容部４０の開口側に配置される弁蓋体４９と、弁体収容部４０内に収容される弁体としてのフリーのボール５０，すなわち、アーム等に支持されることなく単独で鉛直方向に沿って開閉動作するボール５０とにより構成されている。従って、このボール５０は、フリーであるため、他の部材に拘束されることなく、円滑に開閉動作される。また、このボール５０は、エチレン−プロピレン−ジエン共重合ゴム等の合成ゴム、あるいはポリアセタール等の合成樹脂により、水より比重がやや大きくなるように形成されている。また、吐出側第２逆止弁４８は、吐出側第１逆止弁４７と同様に構成されている。
【００２４】
図１３（ａ）〜（ｃ）に示すように、前記弁蓋体４９は、２つの枠部を一体化した構成の枠体４９ａと、各枠部の内側に突出する複数の係止片４９ｂとにより構成され、ボール５０を弁体収容部４０内に保持するようになっている。また、弁蓋体４９は、弁体収容部４０にボール５０を入れた状態で、循環具本体１８に設けられた凹部１８ａに対して、図１３（ｃ）の矢印Ｈ方向へ嵌め込まれることにより、循環具本体１８に組み付けられている。すなわち、弁蓋体４９は、ボール５０の開閉動作方向と直交する方向から循環具本体１８に組み付けられている。
【００２５】
図１３（ａ），（ｃ）に示すように、浴槽用循環具１０は、両逆止弁４７，４８の弁座３９がボール５０の上方において水平に配置され、ボール５０の開閉動作方向が鉛直となるようにして浴槽１１に設置されている。また、各逆止弁４７，４８においてボール５０が弁蓋体４９に係止された状態では、ボール５０と弁蓋体４９との間に流路が形成されて、逆止弁４７，４８が開状態となるように構成されている。
【００２６】
そして、吐出側第１逆止弁４７側では、第１接続部２０を通じて第１通水路３４に浴槽水が供給されたときに、図１３（ａ）に示すように、第１通水路３４に供給された浴槽水の圧力により、ボール５０が弁蓋体４９に当接した状態で保持される。これにより、第１通水路３４から吐出通路形成部３８へ向かう浴槽水の流れが許容される。一方、第１接続部２０を通じて第１通水路３４から浴槽水が吸い込まれたときには、図１３（ｂ）に示すように、第１通水路３４における浴槽水の圧力と、それよりも高い吐出通路形成部３８における浴槽水の圧力との差により、ボール５０が上昇して弁座３９と当接する位置に保持される。これにより、吐出通路形成部３８から第１通水路３４へ向かう浴槽水の流れが規制される。
【００２７】
同様に、吐出側第２逆止弁４８側においても、前記吐出側第１逆止弁４７側と同様に、浴槽水の流れが許容または規制される。すなわち、第２接続部２１を通じて第２通水路３５に浴槽水が供給されたときには、第２通水路３５から吐出通路形成部３８へ向かう浴槽水の流れが許容される。また、第２接続部２１を通じて第２通水路３５から浴槽水が吸い込まれたときには、吐出通路形成部３８から第２通水路３５へ向かう浴槽水の流れが規制される。
【００２８】
図１、図４及び図９（ａ），（ｂ）示すように、前記循環具本体１８の前面側にはカバー５１が取付固定され、このカバー５１により、第１通水路３４、第２通水路３５、両吸込部４１，４２及び吐出通路形成部３８が外面側から覆われている。また、このカバー５１の当接により、両逆止弁４３，４６及び弁蓋体４９が循環具本体１８に固定されている。カバー５１の前記両吸込部４１，４２と対応する位置には、フィルタ１９を介して浴槽水を両吸込部４１，４２に吸い込むための一対の吸込孔５２，５３が透設されている。また、カバー５１の前記吐出通路形成部３８と対応する位置には、カバー５１の下端側ほど内側へより大きく突出する案内部５４が設けられている。
【００２９】
そして、図４及び図１３（ａ），（ｂ）に示すように、このカバー５１により、前記吐出通路形成部３８内には、吐出側第１逆止弁４７及び吐出側第２逆止弁４８の吐出側を開口させるための吐出空間５５が形成されている。さらに、前記案内部５４により、各逆止弁４７，４８から吐出空間５５に吐出された浴槽水の向きが、浴槽用循環具１０の真下に向かう向きから、浴槽用循環具１０の設けられている側壁１２側に傾いた方向へ案内変更されるようになっている。
【００３０】
図１及び図４に示すように、前記フィルタ１９は有底筒状のフィルタベース５６と、このフィルタベース５６に被せられるフィルタカバー５７と、フィルタベース５６とフィルタカバー５７との間に挟持されるフィルタとしての金網５８とから構成されている。図１０に示すように、フィルタベース５６はポリアセタール等の合成樹脂により一体成形され、その底壁前面には円状の内側突条５９及び外側突条６０が同心状となるように一体形成されている。内側突条５９及び外側突条６０の間においてフィルタベース５６の底壁には、略扇状の複数の吸込口６１が円環状に並んだ状態で形成されている。フィルタベース５６の底壁内面には、前記カバー５１の前面に対して、両吸込孔５２，５３の間で当接可能な突条部６２が設けられている。また、フィルタベース５６の周壁には、前記循環具本体１８の吐出通路形成部３８に対応配置される吐出口６３が設けられている。
【００３１】
図１に示すように、前記フィルタカバー５７は、ステンレス板からプレス成形され、その底壁には前記フィルタベース５６の各吸込口６１に対応するように、略扇状の複数の吸込口６４が円環状に並んで形成されている。また、図４及び図１３（ａ），（ｂ）に示すように、フィルタカバー５７の周壁には、フィルタベース５６の吐出口６３に対応配置される吐出口６５が設けられている。前記金網５８はステンレス製であって、前記フィルタベース５６の外側突条６０とほぼ同じ直径に形成され、フィルタベース５６の前面において両突条５９，６０で囲まれた円環状の領域と各吸込口６４とを塞ぐように、フィルタベース５６とフィルタカバー５７との間に挟持されている。
【００３２】
また、前記フィルタ１９は、フィルタベース５６の内周面に設けられた図示しない係合突起が、循環具本体１８の外周面に設けられた係合凹部６６（図１に図示）に係合することにより、循環具本体１８に対して所定の回転位置関係で取付固定されている。このとき、フィルタベース５６の突条部６２が、循環具本体１８のカバー５１の前面に当接する。すなわち、図１３（ａ），（ｂ）に示すように、循環具本体１８の前面とフィルタベース５６の後面との間には、各吸込孔５２，５３と各吸込口６１とを連通する吸込通路６７が形成されている。また、フィルタベース５６とフィルタカバー５７との間には、各吸込口６１と各吸込口６４とを連通する円環状の吸込通路６８が形成されている。
【００３３】
この実施形態では、吸込部４１、吸込孔５２、吸込通路６７、吸込口６１、吸込通路６８及び吸込口６４により、第１吸込口が構成されている。また、吸込部４２、吸込孔５３、吸込通路６７、吸込口６１、吸込通路６８及び吸込口６４により、第２吸込口が構成されている。さらに、吐出口６３，６５により第１吐出口及び第２吐出口が構成されている。そして、フィルタ１９は、前記各逆止弁４７，４８におけるボール５０の開閉動作方向が鉛直方向となるように浴槽１１に取付固定された循環具本体１８に対し、前記吐出口６５が真下を向くようにして取付固定されている。
【００３４】
さて、浴槽１１の側壁１２に取付固定された浴槽用循環具１０を使用する場合には、例えば、第１接続部２０に給湯管１４を接続し、第２接続部２１に戻し管１５を接続する。そして、給湯機１３を運転して浴槽水の追い焚きを行うと、第２接続部２１及び外室２３を介して第２通水路３５から浴槽水が吸い込まれ、これにより、吸込側第２逆止弁４６が開くとともに、吐出側第２逆止弁４８が閉じる。このため、浴槽１１内の浴槽水は、フィルタ１９前面の吸込口６４から、吸込通路６８、各吸込口６１、吸込通路６７、カバー５１の吸込孔５３、吸込部４２、吸込側第２逆止弁４６、第２通水路３５、外室２３及び第２接続部２１を経て戻し管１５に吸い込まれて、給湯機１３に戻される。一方、給湯機１３で加熱された浴槽水は、給湯管１４から第１接続部２０及び内室２２を介して第１通水路３４に供給され、これにより、吸込側第１逆止弁４３が閉じるとともに、吐出側第１逆止弁４７が開く。このため、給湯機１３から給湯管１４を介して供給される加熱水は、第１接続部２０、内室２２、第１通水路３４、吐出側第１逆止弁４７、吐出通路形成部３８、吐出口６３，６５を経て浴槽１１内に吐出される。
【００３５】
また、浴槽用循環具１０に対し、上記とは逆に、第２接続部２１に給湯管１４を接続し、第１接続部２０に戻し管１５を接続した状態で、給湯機１３を運転して浴槽水の追い焚きを行うと、第１接続部２０及び内室２２を介して第１通水路３４から浴槽水が吸い込まれ、これにより、吐出側第１逆止弁４７が閉じるとともに、吸込側第１逆止弁４３が開く。このため、浴槽１１内の浴槽水は、フィルタ１９前面の吸込口６４から、吸込通路６８、各吸込口６１、吸込通路６７、カバー５１の吸込孔５２、吸込部４１、吸込側第１逆止弁４３、第１通水路３４、内室２２及び第１接続部２０を経て戻し管１５に吸い込まれて、給湯機１３に戻される。一方、給湯機１３で加熱された浴槽水は、給湯管１４から第２接続部２１及び外室２３を介して第２通水路３５に供給され、これにより、吸込側第２逆止弁４６が閉じるとともに、吐出側第２逆止弁４８が開く。このため、給湯機１３から給湯管１４を介して供給される加熱水は、第２接続部２１、外室２３、第２通水路３５、吐出側第２逆止弁４８、吐出通路形成部３８及び吐出口６３，６５を経て浴槽１１内に吐出される。
【００３６】
さらに、前記第１接続部２０及び第２接続部２１に対する給湯管１４及び戻し管１５のいずれの接続状態においても、各吐出側逆止弁４７，４８のボール５０が水よりも比重の大きい材料により形成されているため、浴槽１１に水を溜める際に、ボール５０が浮上して逆止弁４７，４８が閉鎖されることはない。よって、浴槽１１内から配管内へ水を容易に浸入させることができる。従って、前述した浴槽水の追い焚きの開始時に、配管内に滞留している空気が給湯機１３のポンプに吸い込まれて、そのポンプに負荷が掛かるおそれを防止することができる。
【００３７】
また、浴槽水の追い焚き時には、前記のように吐出側逆止弁４７，４８が閉鎖状態になるため、給湯機１３から浴槽１１内に流入した加熱後の湯が給湯機１３側へ吸入されるのを抑制することができる。よって、追い焚き時における浴槽水の温度上昇を正確に検出することができて、温度制御を正確に行うことができる。しかも、浴槽１１内の浴槽水を排出する際には、吐出側逆止弁４７，４８が開放状態になるため、浴槽用循環具１０内の滞留水を確実に排出することができる。よって、浴槽用循環具１０内に水が滞留して、バクテリアの発生等を招くおそれを防止することができる。
（変更例）
なお、この実施形態は、次のように変更して具体化することも可能である。
【００３８】
・  前記実施形態においては、循環具本体１８に２系統の循環流路が形成されて、それらの循環流路に２つの吐出側逆止弁４７，４８が設けられているが、循環具本体１８に１系統の循環流路を形成して、その循環流路に１つの吐出側逆止弁を設けてもよい。
【００３９】
・  前記実施形態において、両逆止弁４７，４８におけるボール５０の開閉動作方向を鉛直方向から最大３０°までの範囲内で傾かせるように、循環具本体１８を浴槽１１に取付固定するとともに、前記吐出口６５を鉛直方向から最大３０°までの範囲内で傾いた方向を向くように循環具本体１８に取付固定した構成としてもよい。このような構成であっても、請求項１に記載の効果を得ることができる。但し、ボール５０の開閉動作方向と吐出口６５の向きとが、ともに鉛直方向から最大１５°までの範囲内で傾いた方向であれば効果が顕著となる。
【００４０】
弁体としてのボール５０の代わりに、他の構成、例えば、端部においてヒンジにより支持された板状のものを用いること。
【図面の簡単な説明】
【００４１】
【図１】一実施形態の浴槽用循環具を示す分解斜視図。
【図２】浴槽用循環具が取付固定された浴槽を示す斜視図。
【図３】浴槽及び循環式給湯機を示す側断面図。
【図４】浴槽用循環具を示す縦断面図。
【図５】循環具本体を示す正面図。
【図６】図５におけるＡ−Ａ線の断面図。
【図７】図５におけるＢ−Ｂ線の部分断面図。
【図８】（ａ）は図５におけるＣ−Ｃ線の部分断面図、（ｂ）は同じくＤ−Ｄ線の部分断面図。
【図９】（ａ）はカバーを示す正面図、（ｂ）は（ａ）におけるＥ−Ｅ線の断面図。
【図１０】（ａ）はフィルタベースを示す正面図、（ｂ）は（ａ）におけるＦ−Ｆ線の断面図。
【図１１】（ａ）は吸込側第１逆止弁を示す部分縦断面図、（ｂ）はその作動状態を示す部分縦断面図。
【図１２】カバーを外した状態の循環具本体を示す正面図。
【図１３】（ａ）は吐出側第１逆止弁を示す部分縦断面図、（ｂ）はその作動状態を示す部分縦断面図、（ｃ）は（ａ）におけるＧ−Ｇ線の部分断面図。
【符号の説明】
【００４２】
１０…浴槽用循環具、１１…浴槽、１２…側壁、１３…循環式給湯機、１４…往路としての給湯管、１５…復路としての戻し管、１８…循環具本体、２０…第１接続部、２１…第２接続部、３９…弁座、４０…弁体収容部、４１…第１吸込口を構成する吸込部、４２…第２吸込口を構成する吸込部、４３…第１逆止弁、４７…吐出側第１逆止弁、４８…吐出側第２逆止弁、４９…弁蓋体、５０…ボール、５２…第１吸込口を構成する吸込孔、５３…第２吸込口を構成する吸込孔、５４…案内部、５５…吐出空間、６１…第１吸込口及び第２吸込口を構成する吸込口、６３，６５…第１吐出口及び第２吐出口としての吐出口、６４…第１吸込口及び第２吸込口を構成する吸込口、６７…同じく吸込通路、６８…同じく吸込通路。
【図１】
2006226607.tif 000003
【図２】
2006226607.tif 000004
【図３】
2006226607.tif 000005
【図４】
2006226607.tif 000006
【図５】
2006226607.tif 000007
【図６】
2006226607.tif 000008
【図７】
2006226607.tif 000009
【図８】
2006226607.tif 000010
【図９】
2006226607.tif 000011
【図１０】
2006226607.tif 000012
【図１１】
2006226607.tif 000013
【図１２】
2006226607.tif 000014
【図１３】
2006226607.tif 000015